(57)【要約】【課題】  木製材料を容易に交換でき、安価に構築し得る木製フェンスの提供と、その組み立て方法を提供する。【解決手段】  フェンスＦは、支柱２０に支持される横ビーム１０に、木製の縦材３０を連結したものであって、横ビーム１０は、二本の横ビーム構成部材４０，５０で構成し、縦材を中央にしてその両側から挟持させたものである。横ビーム構成部材には、縦材当接部４３，５３が構成され、縦材の係入溝３１，３２に係入しつつ位置決めがなされる。組み立て方法は、所定間隔で立設された支柱間に横ビーム構成部材の片方のみを連結し、この横ビーム構成部材の縦材当接部に縦材の片面を当接させつつ仮止めし、他方の横ビーム構成部材の縦材当接部を上記仮止めされた該縦材の反対面に当接させつつ両横ビーム構成部材を一体的に連結する。【選択図】  図２
2006028760.tif 000002
【特許請求の範囲】
【請求項１】
所定の高さに配置される横ビームに木製の縦材を支持してなるフェンスであって、横ビームは、長手方向に二分割された二本の横ビーム構成部材で構成された横ビームであり、上記横ビーム構成部材により、縦材を中央にしてその両側から該縦材を挟持させてなることを特徴とする木製フェンス。
【請求項２】
前記横ビーム構成部材は、相互に対向する側において所定間隔で縦材に当接する縦材当接部が構成され、両横ビームを一体的に連結して横ビームを構成するとき、縦材の挿通を許容する縦材挿通部が構成されるように設けられた横ビーム構成部材である請求項１記載の木製フェンス。
【請求項３】
前記縦材は、前記縦材当接部が当接すべき位置に係入溝が構成された縦材であり、前記横ビーム構成部材の縦材当接部は、相互に対向する方向に突出する係入片が設けられた縦材当接部であり、上記縦材当接部の係入片が上記縦材の係入溝に係入するように上記横ビーム構成部材を一体的に連結して横ビームが構成されてなる請求項２記載の木製フェンス。
【請求項４】
所定の高さに配置される金属製の横ビームに木製の縦材を支持してなるフェンスであって、横ビームは、長手方向に二分割された二本の横ビーム構成部材で構成され、両横ビーム構成部材が対向する側に適宜間隔を有して縦材掛止部が設けられた横ビームであり、縦材を中央にして表面側および裏面側に横ビーム構成部材を配置するとともに、所定個所において横ビーム構成部材が縦材を掛止し、かつ、横ビーム構成部材を一体的に連結することによって該縦材を挟持してなることを特徴とする木製フェンス。
【請求項５】
前記横ビーム構成部材は、板状部材を断面略コ字形に折曲して構成された横ビーム構成部材であり、この横ビーム構成部材の開放側を対向させつつ二本を一体的に連結して前記横ビームを構成してなる請求項４記載の木製フェンス。
【請求項６】
前記横ビーム構成部材は、開放側端縁の所定個所を切り欠いて構成された縦材当接部を有する横ビーム構成部材である請求項５記載の木製フェンス。
【請求項７】
前記縦材は、前記横ビーム構成部材の縦材当接部が当接する位置に係入溝が構成された縦材であり、上記縦材当接部の一部が上記係入溝内に係入されてなる請求項６記載の木製フェンス。
【請求項８】
前記横ビームは、水平に支持された複数の横ビームである請求項１ないし７のいずれかに記載の木製フェンス。
【請求項９】
請求項２、３、５ないし７のいずれかに記載された木製フェンスの組み立て方法であって、所定間隔で立設された支柱間に横ビーム構成部材の片方のみを連結し、この横ビーム構成部材の縦材当接部に縦材の片面を当接させつつ仮止めし、他方の横ビーム構成部材の縦材当接部を上記仮止めされた該縦材の反対面に当接させつつ両横ビーム構成部材を一体的に連結してなることを特徴とする木製フェンスの組み立て方法。
【請求項１０】
請求項３または７に記載された木製フェンスの組み立て方法であって、所定間隔で立設された支柱間に横ビーム構成部材の片方のみを連結し、この横ビーム構成部材の縦材当接部に縦材の片面に設けられた係入溝を係入させつつ仮止めし、他方の横ビーム構成部材の縦材当接部を上記仮止めされた該縦材の反対面に設けられた係入溝に係入させつつ両横ビーム構成部材を一体的に連結してなることを特徴とする木製フェンスの組み立て方法。
【発明の詳細な説明】
【技術分野】
【０００１】
本発明は、表面の主たる構成部分を木製にしてなるフェンスおよびその組み立て方法に関し、特に、間伐材を利用してなるものに関するものである。
【背景技術】
【０００２】
道路の路側に設けられる防護用フェンスや丘陵地における小動物の侵入防止フェンスは、金属製の支柱に金網を張設するものが一般的であり、その強度や耐用期間を重点としたものであった。そして、高速道路においては、道路の両側にこれらのフェンスが連続して設けられることがあり、決して景観の良い環境ではなかった。また、コンクリート塀に色彩を加え、景観を良くする工夫がされている場合もあるが、いずれにしても無機質で人工的な印象が強くならざるを得なかった。
【０００３】
そこで、最近では、木製ビームを使用する防護柵（特許文献１）や表面に木質材を被覆部材とする防護柵（特許文献２）などが開発されている。前者の技術は、道路の路側に沿って立設される支柱の内側にビーム支持用ブラケットが設けられ、かつ、このブラケットには相隣り合う支柱に向けて開口する筒状カバーが設けられており、各支柱からそれぞれ延伸された木材ビームの端部を相互に突き合わせた状態で上記筒状カバーが端部を覆うように連結する構成であって、木材ビームの先端が筒状カバーに嵌装された状態でボルトが挿通され、ナットとの締着によって固定されるものであった。また、後者の技術は、所定の間隔で配置された支柱の間に、上中下３段の横梁が連結され、この横梁のうち上下について縦桟が連結されて格子状に構成されているものであって、各部材（支柱、横梁および縦桟）の表面には、いずれも木質材が接着されているものである。
【０００４】
他方、環境面においては、炭素固定による地球温暖化の防止や、再生産が可能な資源として循環型社会の形成へ貢献するために、木材の利用が注目されており、木材の利用が積極的に推奨されつつある。その一環として植林事業において間伐材の使用も優先され、公共事業においても優先的に利用する計画がなされるようになっている（非特許文献１参照）。
【特許文献１】特開２００４−１００３８４号公報（４−５頁、図１−図３）
【特許文献２】特開平８−３０２６３１号公報（２−３頁、図１）
【非特許文献１】平成１６年３月愛知県発行「あいち木づかいプラン−木材利用促進に向けた取組計画（平成１６年度〜１８年度）」（１頁・１４−１５頁）
【発明の開示】
【発明が解決しようとする課題】
【０００５】
上記の従来技術は、いずれも防護柵であるために十分な強度が要求され、その取付構造が複雑なものとならざるを得ないものであった。特に、前者の従来技術にあっては、木製ビームをボルトで貫通させるため、それぞれの木製ビームを取り外すためには、各貫通ボルトを離脱させなければならず、後者の従来技術にあっては、各部材に木質材が接着されているため、これらを除去することは、すなわち、各部材を交換することを意味し、横梁、縦桟のみならず支柱をも交換することは非常に煩瑣であった。従って、これらの防護柵は、木製部分の交換を予定したものではなかった。しかし、使用する材料が木製であるため、長期間の使用により腐食し、または虫食いにより荒廃するものであり、防虫効果や防腐効果を有する塗装を施したとしても、金属製部材ほどの長期間の耐用年数を得ることができず、結局のところ、これらを木製ビームまたは木質材を取り外すことは難しく、交換するとすれば、時間と労力を要するものとなっていた。そこで、交換を容易になし得る構造のフェンスが切望されている。
【０００６】
また、上記従来技術は、いずれも防護柵としての利用が前提であることから、木製部材をビームまたは横梁として用いるものである。しかし、景観を良くするためには、縦材として使用することが好ましく、しかも、所定の高さのフェンスを構築する場合は、木製ビームや横梁の数を増加せざるを得ず、この場合の交換作業は一層の時間と労力を要するものとなっていた。
【０００７】
なお、公共工事において間伐材が使用されている例の中には、眩光防止柵とするものがあったが、この場合、杭のように地中に打ち込む方法によるか、または、構築された基礎に固定的に立設される方法によるものと予想されるところ、その交換は容易ではなく、また、固定作業に長時間を要し、広範囲に設けることは難しいものであった。
【０００８】
本発明は、上記諸点にかんがみてなされたものであって、その目的とするところは、木製材料を容易に交換でき、安価に構築し得る木製フェンスの提供と、その組み立て方法を提供することである。
【課題を解決するための手段】
【０００９】
そこで、木製フェンスにかかる本発明は、所定の高さに配置される横ビームに木製の縦材を支持してなるフェンスであって、横ビームは、長手方向に二分割された二本の横ビーム構成部材で構成された横ビームであり、上記横ビーム構成部材により、縦材を中央にしてその両側から該縦材を挟持させてなることを特徴とする木製フェンスを要旨とするものである。この発明によれば、横ビームが縦材を挟持するため、横ビームと縦材とを個別に連結することなくフェンスを構築することができる。
【００１０】
上記発明において、横ビーム構成部材は、相互に対向する側において所定間隔で縦材に当接する縦材当接部が構成され、両横ビームを一体的に連結して横ビームを構成するとき、縦材の挿通を許容する縦材挿通部が構成されるように設けられた横ビーム構成部材とすることができる。このような構成によれば、縦材は、予め設けられる横ビーム構成部材の縦材当接部に当接させることによって、容易に位置決めされることとなり、組み立てを簡易にすることができる。
【００１１】
また、上記発明において、縦材は、縦材当接部が当接すべき位置に係入溝が構成された縦材であり、横ビーム構成部材の縦材当接部は、相互に対向する方向に突出する係入片が設けられた縦材当接部であり、上記縦材当接部の係入片が上記縦材の係入溝に係入するように上記横ビーム構成部材を一体的に連結して横ビームが構成されるようにすることができる。このような構成によれば、係入片が縦材の係入溝に係入されることにより、縦材の上下方向の位置決めが可能となり、また、縦材が上下方向に移動することを防止することができる。
【００１２】
さらに、木製フェンスにかかる本発明は、所定の高さに配置される金属製の横ビームに木製の縦材を支持してなるフェンスであって、横ビームは、長手方向に二分割された二本の横ビーム構成部材で構成され、両横ビーム構成部材が対向する側に適宜間隔を有して縦材掛止部が設けられた横ビームであり、縦材を中央にして表面側および裏面側に横ビーム構成部材を配置するとともに、所定個所において横ビーム構成部材が縦材を掛止し、かつ、横ビーム構成部材を一体的に連結することによって該縦材を挟持してなることを特徴とする木製フェンスをも要旨としている。本発明によれば、横ビームのみを金属製にして、十分な強度を持たせ、この金属製横ビームにより、各縦材を挟持することから、多数の縦材を同時に連結することが可能となる。
【００１３】
上記発明において、横ビーム構成部材は、板状部材を断面略コ字形に折曲して構成された横ビーム構成部材であり、この横ビーム構成部材の開放側を対向させつつ二本を一体的に連結して横ビームを構成してなるものとすることができる。このような構成によれば、金属製の板状部材を折曲することによって、簡易に横ビーム構成部材を設けることができる。
【００１４】
また、上記発明において、横ビーム構成部材は、開放側端縁の所定個所を切り欠いて構成された縦材当接部を有する横ビーム構成部材とすることができる。この構成によれば、横ビーム構成部材に設けられる縦材当接部は、金属製の板状部材が展開している状態において、所定位置を切り欠くことができ、この板状部材を折曲することで、断面略コ字形の横ビーム構成部材を設けると当時に、縦材当接部をも設けることができる。
【００１５】
さらに、上記発明において、縦材は、横ビーム構成部材の縦材当接部が当接する位置に係入溝が構成された縦材であり、上記縦材当接部の一部が上記係入溝内に係入されてなる構成とすることができる。このような構成にすれば、金属製の板状部材で構成される横ビーム構成部材の開放側端縁のうち、縦材当接部の一部が係止片として機能し、当該縦材当接部が縦材に当接して、当該縦材を位置決めすることができるとともに、同時に、縦材を掛止することが可能となる。
【００１６】
なお、上記いずれかの発明において、水平に支持された複数の横ビームを使用することができる。この場合、縦材の長さや数またはそれらの重量に応じて、十分に支持できる程度の横ビームを使用することができる。
【００１７】
一方、木製フェンスの組み立て方法にかかる本発明は、請求項２、３、５ないし７のいずれかに記載された木製フェンスの組み立て方法であって、所定間隔で立設された支柱間に横ビーム構成部材の片方のみを連結し、この横ビーム構成部材の縦材当接部に縦材の片面を当接させつつ仮止めし、他方の横ビーム構成部材の縦材当接部を上記仮止めされた該縦材の反対面に当接させつつ両横ビーム構成部材を一体的に連結してなることを特徴とする木製フェンスの組み立て方法を要旨とするものである。この発明によれば、フェンスは施工現場において組み立てることができる。そして、縦材は既に支持される一方の横ビーム構成部材により仮止めすることができることから、少数の作業員において組立が可能となる。
【００１８】
また、木製フェンスの組み立て方法にかかる本発明は、請求項３または７に記載された木製フェンスの組み立て方法であって、所定間隔で立設された支柱間に横ビーム構成部材の片方のみを連結し、この横ビーム構成部材の縦材当接部に縦材の片面に設けられた係入溝を係入させつつ仮止めし、他方の横ビーム構成部材の縦材当接部を上記仮止めされた該縦材の反対面に設けられた係入溝に係入させつつ両横ビーム構成部材を一体的に連結してなることを特徴とする木製フェンスの組み立て方法をも要旨としている。この発明によれば、既に支持されている一方の横ビーム構成部材の縦材当接部に、連結すべき縦材の係入溝を係入することにより、位置決めおよび仮止めが可能となる。そして、縦材の両側から当該縦材の係入溝に対し、横ビーム構成部材の縦材当接部の一部を係入することができる。
【発明の効果】
【００１９】
本発明は上記のような構成であるから、木製フェンスにかかる発明では、縦材は横ビームによってのみ支持されることとなり、容易かつ安価なフェンスを提供することができるものとなっている。そして、横ビームを構成する横ビーム構成部材の一方を分離することによって、木製材料により構成された縦材を容易に取り外すことができ、この縦材の交換が容易となる。また、縦材を木製材料で構成することから、構築されるフェンスの景観が非常に良好となる。しかも、使用する木材を間伐材とすれば、一層安価なフェンスを提供することができ、さらに、縦材を間伐材で構成する場合、一度に大量の間伐材を有効に利用することができる。また、縦材は木製材料であるから、長さを自由に変更することができ、所望の高さを有するフェンスの提供が可能となる。
【００２０】
一方、上記木製フェンスの組み立て方法にかかる本発明では、フェンス構築現場において容易に組み立てることができ、運搬が簡易となるうえ、少人数で組み立て作業ができることとなり、安価に木製フェンスを構築し得るものとなっている。このような組み立て方法は、木製部材で構成される縦材を交換するときも同じ作業方法で実現できるから、極めて容易かつ安価に木製材料を交換し得る作業方法を実現できることとなる。
【発明を実施するための最良の形態】
【００２１】
以下、本発明の実施の形態を図面に基づいて説明する。木製フェンスにかかる第一の実施形態の概略を図１に示している。この図に示すように、木製フェンスＦは、横ビーム１０が支柱２０の間に横架され、この横ビームに縦材３０が支持されて構成されている。支柱２０は、適宜間隔に地中に打ち込まれ、この間隔は、通常２ｍとされるが、設置条件等によって適宜変更することができる。各部材１０，２０，３０は、いずれも木製で構成することができるが、強度および加工性の観点から、横ビーム１０および支柱２０を金属製とし、フェンスＦの大部分を形成する縦材３０のみを木製とすることができるものである。
【００２２】
横ビーム１０は、図２に示すように、横ビーム構成部材４０，５０で構成され、二本の横ビーム構成部材４０，５０を一体的に連結することで、一本の横ビームが構成されるものである。また、本実施形態における横ビーム構成部材４０，５０は、金属製の板状部材を断面形状略コ字形に折曲して構成されており、一方の横ビーム構成部材４０の開放側端縁４１，４２に対して、他方の横ビーム構成部材５０の開放側端縁５１，５２を対向させて配置することによって、全体的に四角形状の鋼管のようなビーム１０を形成することができるものである。
【００２３】
この横ビーム構成部材４０，５０は、相互に対称な形状に構成され、すなわち、横ビーム構成部材４０，５０の長手方向に適宜間隔を有して、当該端縁４１，４２，５１，５２が切り欠かれており、両横ビーム構成部材４０，５０が対向する位置に縦材当接部４３，４４，５３，５４が、同じ間隔で構成されているものである。
【００２４】
縦材３０は、断面略正方形状の長尺な棒状部材で構成され、本実施形態においては、間伐材を製材してなる木製部材で構成されている。そして、この縦材３０の表面のうち、横ビーム構成部材４０，５０の端縁４１，４２，５１，５２が当接する個所に、係入溝３１ａ，３２ａ，３１ｂ，３２ｂが設けられている。
【００２５】
従って、図３に示すように、二本の横ビーム構成部材４０，５０が、縦材３０を両側から挟むことができ、この状態において両横ビーム構成部材４０，５０を強固に連結することにより、一体的な横ビーム１０が構成されると同時に、当該横ビーム１０において所定間隔を有して縦材３０が支持されることとなる。このとき、縦材３０の片側表面（裏側の表面）に設けられた係入溝３１ａ，３２ａ（図２）は、一方の横ビーム構成部材４０の縦材当接部４３，４４の一部が係入し、また、縦材３０の反対側表面（表側の表面）に設けられた係入溝３１ｂ，３２ｂ（図２）は、他方の横ビーム構成部材５０の縦材当接部５３，５４の一部が係入することとなる。
【００２６】
ここで、上記係入について詳述すれば、図４に示すように、縦材３０の両面３４，３５には、それぞれに当接される横ビーム構成部材４０，５０の開放側端縁４１，４２，５１，５２の幅寸法に一致するように、係入溝３１ａ，３２ａ，３１ｂ，３２ｂが設けられている（図４（ａ）参照）。また、横ビーム構成部材４０，５０の開放側端縁４１，４２，５１，５２に設けられる縦材当接部４３，４４，５３，５４は、縦材３０の横幅寸法に一致するように、それぞれコ字形の切欠によって構成されている（図４（ｂ）参照）。従って、図５に示すように、二本の横ビーム構成部材４０，５０を対向しつつ接近させるとき、対向する上側の縦材当接部４３，５３と、下側の縦材当接部４４，５４とが、同様の略四辺形状を構成することとなり、この略四辺形状に縦材３０が挿通される状態となるのである（図５（ａ）参照）。その結果、当該略四辺形部分に挿通される縦材３０の、両側側面３６，３７（図４）は、縦材当接部４４，５４の一部である両側縁部４３ａ，４３ｂ，５３ａ，４３ｂに当接されることとなり、横ビーム構成部材４０，５０の長手方向に対する位置決めがされることとなる。さらに、縦材３０の係入溝３１ａ，３２ａ，３１ｂ，３２ｂには、横ビーム構成部材４０，５０の縦材当接部４３，４４，５３，５４の最も奥に位置する係入片部分４３ｃ，５３ｃが係入される。その結果、縦材３０の表裏両面３４，３５は、それぞれ縦方向二個所において係入片部分４３ｃ，４４ｃ，５３ｃ，５４ｃにより掛止されることとなり、上下方向の位置決めがなされることとなる（図５（ｂ）参照）。
【００２７】
上記のように、縦材３０が横ビーム構成部材４０，５０によって挟持されることにより、連結用の金具等を使用することなく、横ビーム１０に縦材３０を連結することが可能となるのである。そして、図２において示したように、予め横ビーム構成部材４０，５０に適宜間隔で複数の縦材当接部４３，４４，５３，５４を設けることにより、当該縦材当接部４３，４４，５３，５４に合わせて複数の縦材３０を同時に支持することができ、所定の間隔を有する縦材３０の設置が可能となるのである。
【００２８】
上記横ビーム構成部材４０，５０は支柱１０に固定されるが、この固定は所定の連結金具により強固になされる。このときの連結構造を例示すれば、図６に示すように、支柱１０に対して貫通ボルト１１と、これに螺合するナット１２で締着させるものがある。この場合、支柱１０および両方の横ビーム構成部材４０，５０のそれぞれ所定個所には、貫通ボルト１１が貫通できる孔を穿設するものであり、この貫通孔を使用して貫通ボルト１１による固定がなされるものである。
【００２９】
ここで、まず、最初に一方の横ビーム構成部材４０のみが支柱１０に固定される。このとき、横ビーム構成部材４０と支柱１０との中間にはスペーサ１３が設けられ、当該横ビーム構成部材４０を支柱１０から所定の間隔を有して固定される。また、上記横ビーム構成部材４０は、他方の横ビーム構成部材５０とは分離した状態で支柱１０に支持されることから、まず、支柱１０の裏側から貫通ボルト１１を挿入し、横ビームが装着される側に大きく突出させ、このボルト１１に対して第１のナット１２を螺合することによって、一方の横ビーム構成部材４０のみを固定することができる（図６（ａ）参照）。
【００３０】
そして、最後に他方の横ビーム構成部材５０が取り付けられることとなるが、このとき、一方の横ビーム構成部材４０を既に締着している貫通ボルト１１が、他方の横ビーム構成部材５０の貫通孔をも貫通するように、当該横ビーム構成部材５０を装着する。このような状態で第２のナット１２を当該横ビーム構成部材５０の外方から上記貫通ボルト１１に螺合させることによって、他方の横ビーム構成部材５０をも固定できるものである。
【００３１】
次に、上記実施形態にかかるフェンスの組み立て方法について説明する。組み立て方法の概略は図７および図８に示している。この図に示すように、フェンス全体の支持のための支柱２０を立設する（図７（ａ）参照）。この支柱２０の中心間距離は２ｍとなるように調整されるが、その距離は変更し得るものである。支柱２０の立設は、杭打ち機等による打ち込み方式による場合、立坑に埋め戻す場合、または、コンクリート基礎によって支持する場合などがある。
【００３２】
次に、各支柱２０の間に一方の横ビーム構成部材４０を横架する（図７（ｂ）参照）。この横ビーム構成部材４０は、基本的には２ｍのスパンを有して構成され、例外的に長さが異なるものを使用することができる。この状態において、横ビーム構成部材４０の縦材当接部４３，４４は、フェンスの正面側に向かって整列されている。そこで、次に、縦材３０を上記横ビーム構成部材４０に仮止めするのである（図８（ａ）参照）。この仮止めは、上述のとおり、縦材３０の係入溝３１ａ・・・を横ビーム構成部材４０の係入片部分４３ｃを係入させることによって行われるものである。
【００３３】
上記の仮止めが、すべての縦材３０についてなされた後、既に横架してなる横ビーム構成部材４０に対向するように、上記縦材３０を挟むように他方の横ビーム構成部材５０を固定するのである（図８（ｂ）参照）。このように、一方の横ビーム構成部材４０に他方の横ビーム構成部材５０を対向するように固定することによって、両構成部材４０，５０は、相互に重なり、一体的な横ビーム２０が形成されるのである（図１参照）。
【００３４】
上記のようにして、平坦な場所におけるフェンスＦを構築することができるのである。次に、高速道路の法面のように、傾斜を有する場所に設置する場合は、縦材を段階的に下降（または上昇）させ、近接する縦材同志を横ビームで連結することによって、相互の一体性を保持することも可能である。すなわち、図９に示すように、斜面上に短いスパンで支柱２０を立設し、この中間に上記平坦な場合と同様に横ビーム１０によって縦材３０を支持する構成とすることができる。この場合には、横ビーム構成部材４０，５０は、上記支柱２０が設けられるスパンに応じた短いものを使用することとなる。そして、上記構成においては、縦材３０の下端と法面との間に大きな間隙が生じることとなるため、防獣用フェンスとして使用する場合には、図中一点鎖線で示すように、段階的に長さを変化させてなる縦材３０を使用することも可能である。
【００３５】
また、他の構築方法としては、図１０に示すように、斜面の比較的長いスパンに２本の支柱２０を立設し、この中間を数個の区分（図は４区分）に分割するとともに、それぞれ複数ずつ（図は３本ずつ）の縦材３０によって長方形状のフェンス構成部を設けるものがある。そして、これらのフェンス構成部を傾斜角に応じて、順次段階的に高さを上下させ、隣り合って配置される縦材３０同志を横ビーム１０によって連結するのである。
【００３６】
なお、この場合、景観を重視するため、横ビーム１０の高さについても調整され、各フェンス構成部を構築するための横ビーム１０を延伸して、連結用の横ビーム１０として機能させることができる。また、連結専用ビーム６０を使用して、隣り合う縦材３０を連結することも可能である。そして、いずれの場合においても、横ビーム１０または連結専用ビーム６０が適宜位置で連結できるように、縦材３０には、複数個所に係入溝３１ａ・・・を設けておくことが好ましい。
【００３７】
次に、木製フェンスにかかる第二の実施形態について説明する。この実施形態は、第一の実施形態における縦材当接部を略弧状に構成したものである。本実施形態は、図１１に示すように、支持すべき縦材１３０は断面円形の柱状のもの（丸太）が使用される場合の例であって、本実施形態に使用される横ビーム構成部材１４０，１５０は、上記形状の縦材１３０の表面に当接すべく略弧状の当接部１４３，１４４，１５３，１５４が構成されている。ここで、上記弧状の当接部１４３，１４４，１５３，１５４のうち、最も奥に位置する部分１４３ｃ，１５３ｃは、直線状に端縁となっており、これが係止片部分を構成するのである。
【００３８】
また、上記構成の横ビーム構成部材１４０，１５０によって支持される縦材１３０の表面には、係入溝１３１ａ，１３２ａ，１３１ｂ，１３１ｂが設けられており、上記横ビーム構成部材１４０，１５０の係入片部分１４３ｃ，１５３ｃが係入できる構成となっている。
【００３９】
上記のように構成したことから、図１２に示すように、断面円形の縦材１３０は、係入溝１３１ａ，１３１ｂが設けられている側を横ビーム構成部材１４０，１５０に向け、両側から横ビーム構成部材１４０，１５０によって挟持することにより、連結されるものである。そして、横ビーム構成部材１４０，１５０の縦材当接部１４３，１５３は、係止片部分１４３ｃ，１５３ｃは、縦材の係入溝１３１ａ，１３１ｂに係入されるが、その他の部分１４３ａ，１４３ｂ，１５３ａ，１５３ｂは、縦材１３０の表面に当接することとなり、当該縦材１３０の移動を制限する位置決め効果を発揮することができるようになっている。また、縦材１３の係入溝１３１ａ，１３１ｂおよび係入片部分１４３ｃ，１５３ｃは、いずれも直線状に設けられるから、係止片部分１４３ｃ，１５３ｃが係入溝１３１ａ，１３１ｂに係入した状態（図１２（ｂ）参照）では、当該双方の直線部分が当接して、縦材１３０が軸線回りに回転することをも防止するようになっている。
【００４０】
また、第三の実施形態について説明すれば、図１３に示すように、縦材２３０と同様に支柱２２０を同じ横ビーム構成部材２４０，２５０で連結してなるものがある。この実施形態は、長いスパンの支柱２０（図１）の中間に補助的に支柱２２０を設ける場合や、傾斜面の途中に支柱２２０を設ける場合などの状況において、長尺な横ビームを使用して当該支柱２２０と縦材２３０とを同時に連結することにより、横ビームの支持構造を簡単にすることを目的としている。
【００４１】
本実施形態では、支柱２２０においても縦材２３０と同様に係入溝２２１ａ，２２２ａ，２２１ｂ，２２２ｂが構成され、横ビーム構成部材２４０，２５０の縦材当接部２４３，２５３が係入できるようになっている。そして、この縦材当接部２４３，２５３の係入によって、支柱２２０により横ビーム構成部材２４０，２５０が支持されることとなるのである。この場合、支柱２２０が連結される近傍において、貫通ボルト２１１およびナット２１２により両横ビーム構成部材２４０，２５０の一体性を補強することにより、上記連結を強固に連結することが可能となる。
【００４２】
さらに、支柱との連結については、図１４に示すように、第一実施形態に使用する横ビーム構成部材４０，５０を使用して、基本的な支柱２０と、当該横ビーム構成部材４０，５０とを連結することも可能である。この連結方法は、一方の横ビーム構成部材４０と他方の横ビーム構成部材５０との位置関係を、縦材当接部の１ピッチ分だけ横方向に相対移動させてなるものである。そして、支柱２０を中央にして両側から横ビーム構成部材４０，５０で挟持するとともに、貫通ボルト１１で全体を締着させるのである。ここで、支柱２０における貫通ボルト１１の締着は、連続する横ビーム構成部材を連結するものではないから、当該支柱２０の両側に配置される縦材３０ａ，３０ｂについても同様に、貫通ボルト１１ａ，１１ｂによって、締着するのである。この方法によれば、支柱２０と横ビーム構成部材４０，５０との連結金具を使用することなく、支柱２０に横ビーム１０を連結することができることとなる。
【００４３】
以上に代表的な実施形態を説明したが、本発明の趣旨を逸脱しない範囲において種々の形態をとることができる。例えば、横ビーム構成部材は、板状に構成せず、棒状の横ビーム構成部材とすることができる。この場合、図１５に示すように、縦材３３０に当接する側の面に縦材当接部３４３を設け、この一部に係入片３２３ｃを設ける構成とすることができる。なお、このような構成の横ビーム構成部材３４０を構成する場合には、部材全体を木製（間伐材）によって構成することができ、係止片３４３ｃのみを金属製の板状部材によって構成することができる。そして、この金属製の係入片３４３ｃは、横ビーム構成部材３４０の背面から挿入することによって、縦材３３０に突出させることが可能である。また、上記係入片３４３ｃによって縦材３３０を掛止するため、縦材３３０には係入溝３３１ａ，３３１ｂが設けられるのである。
【００４４】
さらに、上記横ビーム構成部材は、合成樹脂等により棒状に構成されたものとすることができる。この場合においても、上記と同様に縦材当接部３４３を設ける構成とすることもできるが、縦材当接部３４３を設けない構成によって挟持させるものとすることができる。この場合は、図１６に示すように、少なくとも任意の一表面４４３，４５３を縦材当接用の表面として、当該表面４４３，４５３に複数の突起４４５，４５５を設ける構成とすることができる。このような構成によれば、木製の縦材４３０を中心として両側から縦材構成部材４４０，４５０で挟持することにより、縦材当接面４４３，４５３の突起４４５，４５５が縦材４３０の表面に突き刺さり、当該縦材４３０を固定することができることとなるのである。そして、このような構成とする場合、縦材４３０には係入溝が設けられず、任意の位置で横ビーム構成部材４４０，４５０により支持されることとなる。なお、上記のような挟持による固定は、縦材当接面４４３，４５３に突起４４５，４５５を設けるほかに、当該表面の摩擦抵抗を大きくする表面処理によっても可能である。
【００４５】
一方、横ビーム構成部材を板状部材で構成する場合、図１７に示すように、略長方形状の金属製板材７０において、これを観念的に３つの区分に分け、中央構成部７１と、その両側に連続する上下辺構成部７２，７３とで構成し、各境界線に沿って、折曲することによって断面コ字形の横ビーム構成部材を構成することが可能となる。このように構成する場合、板状部材７０の上下辺構成部７２，７３の端縁には、予め切り欠いてなる縦材当接構成部７４，７５が設けられている。従って、上記のように、境界線に沿った折曲によって、上下辺の端縁には縦材当接部が所定の位置に構成されるのである。
【００４６】
また、上記各実施形態においては、縦材の連結について、横ビーム構成部材に仮止めする方法についてのみ説明したが、フェンスの構築現場等において、横ビーム構成部材および縦材を一体的に組み立てたうえで、これを支柱に固定する方法によってもフェンスを構築できるものである。従って、構築現場等の条件に応じて、フェンスの構築が容易となる方法を採用すればよいものである。
【図面の簡単な説明】
【００４７】
【図１】本発明の第一の実施形態による木製フェンスの概略を示す説明図である。
【図２】第一の実施形態における横ビームの構成を示す説明図である。
【図３】第一の実施形態における縦材の支持状態を示す説明図である。
【図４】第一の実施形態における縦材の支持状態を示す説明図である。
【図５】第一の実施形態における縦材の支持状態を示す説明図である。
【図６】支柱と横ビームとの支持構造を示す説明図である。
【図７】フェンスの組み立て方法にかかる実施形態の説明図である。
【図８】フェンスの組み立て方法にかかる実施形態の説明図である。
【図９】斜面におけるフェンスの組み立て方法にかかる実施形態の説明図である。
【図１０】斜面におけるフェンスの組み立て方法にかかる実施形態の説明図である。
【図１１】第二の実施形態における横ビームを示す説明図である。
【図１２】第二の実施形態における縦材の支持状態を示す説明図である。
【図１３】第三の実施形態における縦材の支持状態を示す説明図である。
【図１４】支柱による横ビームの支持構造にかかる他の実施形態を示す説明図である。
【図１５】横ビーム構成部材の他の実施形態を示す説明図である。
【図１６】横ビーム構成部材の他の実施形態を示す説明図である。
【図１７】横ビーム構成部材の展開図である。
【符号の説明】
【００４８】
１０  横ビーム
１１，２１１  貫通ボルト
１２，２１２  ナット
１３  スペーサ
２０，２２０  支柱
３０，１３０，２３０，３３０  縦材
３１ａ，３１ｂ，３２ａ，３２ｂ  係入溝
４０，５０，１４０，１５０，２４０，２５０  横ビーム構成部材
４３，４４，５３，５４，１４３，１４４，１５３，１５４，３４３  縦材当接部
４３ｃ，４４ｃ，５３ｃ，５４ｃ，１４３ｃ，１５３ｃ  係入片部分
６０  連結専用ビーム
７０  金属製板材
７１  中央構成部
７２，７２  上下片構成部
７４，７５  縦材当接構成部
３４３ｃ  係入片
Ｆ  木製フェンス
【図１】
2006028760.tif 000003
【図２】
2006028760.tif 000004
【図３】
2006028760.tif 000005
【図４】
2006028760.tif 000006
【図５】
2006028760.tif 000007
【図６】
2006028760.tif 000008
【図７】
2006028760.tif 000009
【図８】
2006028760.tif 000010
【図９】
2006028760.tif 000011
【図１０】
2006028760.tif 000012
【図１１】
2006028760.tif 000013
【図１２】
2006028760.tif 000014
【図１３】
2006028760.tif 000015
【図１４】
2006028760.tif 000016
【図１５】
2006028760.tif 000017
【図１６】
2006028760.tif 000018
【図１７】
2006028760.tif 000019